(57)【特許請求の範囲】
【請求項１】
集塵箱内に回転自在に設けられ、断面波形の略平板フィルターを円筒状に巻いて接合形成され、表面が断面波形の円筒状フィルター部を有する主フィルターと、前記主フィルターを回転させる駆動手段と、前記主フィルターの回転によって前記円筒状フィルター部を加振する打撃体とを備え、前記円筒状フィルター部における略平板フィルターの接合部の端部は、前記円筒状フィルター部における非接合部の山頂部よりも前記主フィルターの回転軸方向側へ低く、かつ前記打撃体と衝突しない高さに配置した電気掃除機。
【発明の詳細な説明】
【技術分野】
【０００１】
本発明は、電気掃除機に関するもので、特にフィルターを用いて塵埃を集塵箱に収容するタイプの電気掃除機に関するものである。
【背景技術】
【０００２】
従来の塵埃を集塵箱に収用するタイプの電気掃除機では、集塵室内に円筒波形のフィルターを有する主フィルターを採用している場合、フィルターを円筒状に形成する場合の接合部の山高さは、非接合部の山高さと略同一高さとし、また主フィルターのフィルターを打撃体で除塵する除塵機構を有する場合、フィルターの被打撃部に樹脂を２材質成形することが一般的であった（例えば、特許文献１参照）。
【０００３】
また、主フィルターと主フィルターの前方や外周を覆う１次フィルターを設け、集塵箱を集塵室とフィルター室に分離すると共に、１次フィルターの除塵機構を有する場合、１次フィルターを主フィルターと連動して回転させ、集塵箱に設けた除塵板により１次フィルターの表面に堆積した繊維状の塵埃を除塵したりしていた。
【０００４】
また、このような主フィルターと１次フィルターを連動して回転させるタイプの電気掃除機では、集塵箱の蓋体に主フィルターと１次フィルターが回転自在に保持されており、１次フィルターと集塵室との間には粗塵通過防止用、主フィルターと蓋体との間には細塵の洩れ防止用にリップ状のパッキンを設けているが、吸引力が低かった時代に見受けられたこのような構成の電気掃除機では、パッキンの位置、特に主フィルターのパッキンの位置を十分規制するような配慮はなされていなかった。
【０００５】
また、電気掃除機本体の前方全体を集塵箱、後方全体をモーター室と電源コード室とからなる本体箱とするタイプもあったが、近年は集塵箱を電気掃除機本体の集塵箱収納部に上方から下方に向かって挿入するタイプで、集塵箱収納部への集塵箱の固定は、外観を形成する開閉自在な集塵箱上蓋を採用することが主流となってきている。
【０００６】
ここで、電気掃除機本体の前方全体を集塵箱、後方全体をモーター室と電源コード室とからなる本体箱とするタイプでは、集塵箱離脱時に電気掃除機本体の吸気口に接続されているホースの接続管を外さなくとも集塵箱を本体箱から離脱可能であり、集塵箱の流入口に開閉自在な蓋部を有した逆止弁を設ける場合にも、吸引時にホースの接続管で逆止弁の蓋部を押さえる構成としていたり、集塵箱を集塵室とフィルター室に分けない場合は、流入口と連通する流出口を有する吸気管を比較的長く形成し、逆止弁が開いた場合にも逆止弁の蓋部が吸気管の流出口に干渉しない構成としていた。
【０００７】
一方で、集塵箱を電気掃除機本体の集塵箱収納部に上方から下方に向かって挿入するタイプでは、ホースの接続管で集塵箱の逆止弁を押さえようとすると、ホースの接続管を外さないと集塵箱を離脱不可能なため、逆止弁の中央に放射状の切り込みを設け、吸引時の気流でも振動音が出難い構成としていた。
【０００８】
また、このような集塵箱を電気掃除機本体の集塵箱収納部に上方から下方に向かって挿入するタイプでは、電気掃除機本体の吸気口にリップ部を集塵箱収納部にむき出しにした状態で吸気パッキンを固定し、電気掃除機本体の吸気口と集塵箱の流入口との気密性を確保しており、吸気パッキンを大きく傾斜させて取り付けたり、吸気パッキンの滑り性を向上させるような特殊処理をすることで、集塵箱挿入時の吸気パッキンのリップ部のめくれを防止していた（例えば、特許文献２〜５参照）。
【特許文献１】特開昭６１−６８１１０号公報
【特許文献２】実開昭５５−１７２１５２号公報
【特許文献３】特開２００６−２０８９７号公報
【特許文献４】特開２００５−３３４５５３号公報
【特許文献５】実開昭５６−８２９４４号公報
【発明の開示】
【発明が解決しようとする課題】
【０００９】
しかしながら、前記従来の集塵箱に塵埃を収容するタイプの電気掃除機の構成では、円筒波形のフィルター表面を打撃体で直接打撃することでフィルター表面に堆積した細塵を除塵する場合、フィルターの接合部に繰り返し衝撃が加わることとなり、接合部の接合外れによる細塵の洩れを発生させる可能性がある。また一方で、主フィルターの被打撃部に樹脂を２材質成形する場合は、フィルターの表面積を減少させてしまい、目詰まりが発生し易く、吸込力が低下し易くなるという課題があった。
【００１０】
また、主フィルターと主フィルターの前方や外周を覆う１次フィルターを集塵箱の蓋体に連動して回転自在に保持し、１次フィルターと集塵室との間には粗塵通過防止用、主フィルターと蓋体との間には細塵の洩れ防止用にリップ状のパッキンを設けて集塵箱を集塵
室とフィルター室に分離する場合、１次フィルターと集塵室との間は回転しながら粗塵通過を防止しようとしても、１次フィルター回転時に粗塵が挟まる可能性があり、電源コードの引き出しと１次フィルターの回転を連動させる場合、電源コードの引き出しが重くなり、加えて主フィルターのパッキンの位置規制手段がないため、電気掃除機運転状態では、主フィルターのパッキンが集塵箱の蓋体に吸着し易く、電源コードの引き出しがさらに重くなるという傾向にあった。
【００１１】
また、集塵箱を電気掃除機本体の集塵箱収納部に上方から下方に向かって挿入するタイプで、集塵箱内部の前方を集塵室、後方をフィルター室と分け、さらに集塵箱の流入口に逆止弁を設ける場合、流入口と流出口を有する吸気管を長く形成することが困難な場合が多く、このような流入口と流出口が近接した状態で流入口に開閉自在な蓋体を有する逆止弁を設けると、蓋体が開いた時、蓋体が流出口から流出する気流に引っ張られ、流出口から飛び出し振動音が発生し易く、一方で中央に放射状の切り込みのある逆止弁を採用すると、集塵箱を持ち運び時に切り込み部からゴミがこぼれ易いという課題があった。
【００１２】
また、電源コードの引き出しに連動した主フィルターや１次フィルターの除塵手段を有し、集塵箱を電気掃除機本体の集塵箱収納部に上方から下方に向かって挿入するタイプで、集塵箱収納部への集塵箱の固定手段として、外観を形成する開閉自在な集塵箱上蓋を採用する場合、連動時に集塵箱と集塵箱収納部の連結部が分離するという除塵手段の機能障害を確実に防止することが出来るものの、集塵箱上蓋を構成するためには、結構なコストが必要となるという課題があった。
【００１３】
また、このような集塵箱を電気掃除機本体の集塵箱収納部に上方から下方に向かって挿入するタイプでは、電気掃除機本体の吸気口にリップ部を集塵箱収納部にむき出しにした状態で吸気パッキンを固定して電気掃除機本体の吸気口と集塵箱の流入口との気密性を確保しているため、集塵箱が少し傾いた状態で集塵箱収納部に挿入された場合などに、吸気パッキンのリップ部のめくれ、吸引力が低下し易いという課題があった。
【００１４】
本発明は、前記従来の課題を解決するもので、特に集塵箱に塵埃を収容するタイプの電気掃除機の信頼性と使い勝手を向上させることを目的とする。
【課題を解決するための手段】
【００１５】
前記従来の課題を解決するために、本発明の電気掃除機は、集塵箱内に回転自在に設けられ、断面波形の略平板フィルターを円筒状に巻いて接合形成され、表面が断面波形の円筒状フィルター部を有する主フィルターと、前記主フィルターを回転させる駆動手段と、前記主フィルターの回転によって前記円筒状フィルター部を加振する打撃体とを備え、前記円筒状フィルター部における略平板フィルターの接合部の端部は、前記円筒状フィルター部における非接合部の山頂部よりも前記主フィルターの回転軸方向側へ低く、かつ前記打撃体と衝突しない高さに配置したもので、フィルター表面を打撃体で直接打撃してもフィルターの接合部は打撃を受けず、フィルターの接合部の外れを防止することが可能となり、フィルター表面の除塵性能を向上すると共に、被打撃部に樹脂を２材質成形することも不要となり、フィルターの表面積を増加させ、目詰まりと吸込力の低下を発生させ難くすることが可能となる。
【発明の効果】
【００１６】
本発明の電気掃除機は、含塵空気から塵埃を分離するフィルターの接合部の接合外れによる細塵洩れの発生等を防止し、信頼性と使い勝手を向上した電気掃除機を提供できるものである。
【発明を実施するための最良の形態】
【００１７】
第１の発明は、集塵箱内に回転自在に設けられ、断面波形の略平板フィルターを円筒状に巻いて接合形成され、表面が断面波形の円筒状フィルター部を有する主フィルターと、前記主フィルターを回転させる駆動手段と、前記主フィルターの回転によって前記円筒状フィルター部を加振する打撃体とを備え、前記円筒状フィルター部における略平板フィルターの接合部の端部は、前記円筒状フィルター部における非接合部の山頂部よりも前記主フィルターの回転軸方向側へ低く、かつ前記打撃体と衝突しない高さに配置したもので、フィルター表面を打撃体で直接打撃してもフィルターの接合部の外れを防止することが可能となり、フィルター表面の除塵性能を向上出来ると共に、被打撃部に樹脂を２材質成形することも不要となり、フィルターの表面積を増加させ、目詰まりと吸込力の低下を発生させ難くすることが可能となる。
【００１８】
（実施の形態１）
図１は、本発明の実施の形態１における電気掃除機本体の上面図で、図２は、図１のＡ−Ａ断面図、図３は、同電気掃除機の集塵箱の斜め下方から見た分解斜視図、図４は、図２のＢ−Ｂ断面図、図５は、図２のＣ−Ｃ断面図、図６は、同電気掃除機の集塵箱の斜め上方からみた分解斜視図、図７は、同電気掃除機の蓋ユニット体の分解斜視図、図８は、同電気掃除機の前方から見た集塵箱収納部の要部斜視図、図９は、同電気掃除機の後方から見た集塵箱収納部の要部斜視図である。
【００１９】
図１〜３において、１は、電気掃除機本体で、モーター２と電源コード（図示せず）を内蔵する本体部３と集塵箱収納部４と塵埃を収容する集塵箱５から構成されている。ここで、集塵箱収納部４の前方には、ホースの接続管（図示せず）と接続され、集塵箱５の流入口６との気密性を確保するための吸気パッキン７が取り付けられた吸気口８が設けられている。
【００２０】
また、集塵箱５は、蓋体９に回転自在に取り付けられた主フィルター１０、主フィルター１０回転時に主フィルター１０の円筒状フィルター部１１の表面に体積した繊維状の塵埃を打撃除塵する打撃体１２、塵埃を収容する集塵室１３と主フィルター１０を収容するフィルター室１４とに分離する１次フィルター１５、主フィルター１０と１次フィルター１５を同時に抜け止めする着脱自在な操作ツマミ１６からなる蓋ユニット体１７及び集塵箱５を集塵箱収納部４に固定する係止手段を有したハンドルを設けた集塵箱ケース１８で構成されている。
【００２１】
ここで、主フィルター１０は、蓋体９に回転自在に軸支され、操作ツマミ１６で当接することで抜け止めと位置決めされ、１次フィルター１５は、主フィルター１０の軸支部１９にガタをもたせて軸支されると共に操作ツマミ１６でガタをもたせて抜け止めされており、さらに１次フィルター１５には集塵室１３からフィルター室１４へ粗塵通過防止用のパッキンＡ２０、主フィルター１０にはフィルター室１４から集塵箱５の外部への細塵洩れ防止用のパッキンＢ２１を設けている。
【００２２】
図４において、主フィルター１０の円筒波形の円筒状フィルター部１１の接合部２２の山高さは、打撃体１２よりも低く設定されている。
【００２３】
図５において、集塵箱５の流入口６には開閉自在な蓋部２３を有する逆止弁２４が設けられており、集塵箱５の流入口６と連通する流出口２５を有する吸気管の垂直軸２７に対して逆止弁２４の蓋部２３の開閉軸２８を傾斜させて取り付けられており、蓋部２３が開いた場合にも、蓋部２３が流出口２５に干渉しない位置関係となっている。
【００２４】
図６〜７において、主フィルター１０から加振突起２９、１次フィルター１５から被加振突起３０を設け、１次フィルター１５とは独立して回転する主フィルター１０回転時に
加振突起２９が被加振突起３０に間欠的に当る構成となっている。
【００２５】
図２、７〜８において、３１は主フィルター１０を回転自在に連結軸支する蓋体９の一部を形成する被支持体、３２は集塵箱５を集塵箱収納部４に収納時かつ吸引時で主フィルター１０回転時には常に被支持体３１を支持する支持体である。
【００２６】
また、３３と３４は電源コードの引出力を主フィルター１０の回転力に伝達する駆動手段の一部となる蓋体９下方の連結部Ａと集塵箱収納部４下方の連結部Ｂであり、連結部Ｂ３４は、上方開口の連結部Ｂ収納部３５内に設けられており、その近傍には、連結部Ｂ収納部３５と連通する除塵口３６が設けられている。
【００２７】
さらに、連結部Ｂ３４の近傍及び対称位置には、集塵箱５を集塵箱収納部４に収納時に蓋体９の一部と当接することで、連結部Ａ３３と連結部Ｂ３４が連結することで発生する集塵箱５への回転力を抑制する集塵箱５の回り止めリブ３７が設けられている。
【００２８】
図２、９において、３８はリップ状の吸気パッキン７のリップ先端の集塵箱５が挿入されてくる上側を覆うように設けた集塵箱５挿入時の案内部３８である。
【００２９】
上記構成を備えた電気掃除機の動作、作用は以下の通りである。
【００３０】
床ノズル（図示せず）から吸引された塵埃は、延長管（図示せず）、ホースを介して集塵室１３へ到達し、粗塵が１次フィルター１５で分離された後、細塵を含んだ気流は、１次フィルター１５を通過し、フィルター室１４に到達し、細塵が主フィルター１０で分離された後、奇麗になった気流は、電気掃除機本体１の外部へ放出される。
【００３１】
また、円筒状フィルター部１１表面に堆積した細塵は、電源コードの引き出しに連動して主フィルター１０が回転することで、打撃体１２により円筒状フィルター部１１の表面から打撃除塵されると共に、１次フィルター１５の表面に堆積した繊維状の塵埃は、主フィルター１０の加振突起２９により１次フィルター１５に振動が与えられることで振動除塵される。
【００３２】
また、長時間の使用により主フィルター１０に多量の細塵が堆積してしまった場合などは、操作ツマミ１６を外すことで、１次フィルター１５と主フィルター１０を同時に蓋体９から離脱可能であり、主フィルター１０を清掃することが容易となっている。
【００３３】
このように、本実施の形態によれば、円筒波形のフィルター１１の接合部の山高さを打撃体１２よりも低くしているので、円筒状フィルター部１１表面を打撃体１２で直接打撃しても円筒状フィルター部１１の接合部２２の外れを防止することが可能となり、フィルター１１表面の除塵性能を向上出来ると共に、被打撃部に樹脂を２材質成形することも不要となり、円筒状フィルター部１１の表面積を増加させ、目詰まりと吸込力の低下を発生させ難くすることが可能となる。
【００３４】
また、操作ツマミ１６を主フィルター１０と当接させ、主フィルター１０を蓋体９に回転自在に位置決め軸支すると共に、１次フィルター１５を操作ツマミ１６と主フィルター１０との間にガタをもって挟持し、主フィルター１０を１次フィルター１５とは独立して回転可能としているので、簡単な構成で主フィルター１０と１次フィルター１５を蓋体９から分離可能とすることでメンテナンス性を確保すると共に、１次フィルター１５と集塵室１３との間の粗塵通過防止用のリップ状のパッキンＡ２０部に粗塵が挟まる可能性は低く、万一挟まった場合でも、電源コードの引き出しが重くなることを防止することが可能となる。
【００３５】
また、主フィルター１０を１次フィルター１５とは独立して回転可能とすると共に、主フィルター１０回転時に加振突起２９を１次フィルター１５に間欠的に当てることにより、１次フィルター１５が固定であっても、１次フィルター１５の表面に堆積した繊維状の塵埃を振動により落下除去出来るチャンスを増加させることで吸引力の低下を低減させることが可能となる。
【００３６】
また、主フィルター１０を回転自在に連結軸支する蓋体９の一部に被支持体３１、集塵箱５を集塵箱収納部４に収納時かつ吸引時で主フィルター１０回転時には常に被支持体３１を支持する支持体３２を設けることで、主フィルター１０に細塵の洩れ防止用にリップ状のパッキンＢ２１を設ける場合にも、パッキンＢ２１の位置規制が可能となり、パッキンＢ２１の蓋体９への過剰な吸着を防止することで電気掃除機運転状態でも電源コードの引き出し力の過剰な増加を低減することが可能となる。
【００３７】
また、電源コードの引出力を主フィルター１０の回転力に伝達する駆動手段の一部となる集塵箱収納部４下方の連結部Ｂ３４を上方開口の連結部Ｂ収納部３５内に設け、その近傍には、連結部Ｂ収納部３５と連通する除塵口３６が設けることで、ゴミ捨て時等に万一連結部Ｂ収納部３５にゴミが堆積してしまった場合にも、集塵箱５を集塵箱収納部４に収納した状態で電気掃除機を運転することで、堆積した塵埃が除塵口３６から外に排出され、駆動手段が機能障害になるといった不具合を避けることが可能となる。
【００３８】
また、連結部Ｂ３４の近傍及び対称位置には、集塵箱５を集塵箱収納部４に収納時に蓋体９の一部と当接することで、連結部Ａ３３と連結部Ｂ３４が連結することで発生する集塵箱５への回転力を抑制する集塵箱５の回り止めリブ３７を設けることで、連動時に集塵箱５と集塵箱収納部４との連結部が分離するという除塵手段の機能障害の防止を安価に実現することが可能となる。
【００３９】
また、集塵箱５の流入口６には開閉自在な蓋部２３を有する逆止弁２４が設け、集塵箱５の流入口６と連通する流出口２５を有する吸気管の垂直軸２７に対して逆止弁２４の蓋部２３の開閉軸２８を傾斜させて取り付け、蓋部２３が開いた場合にも、蓋部２３が流出口２５に干渉しない位置関係とすることで、流入口６と流出口２５を有する吸気管を長く形成することが困難な場合でも、開閉自在な蓋部２３を有する逆止弁を設けることが可能となり、ゴミこぼれを確実に防止すると共に、蓋部の振動音を防止することが可能となる。
【００４０】
さらに、リップ状の吸気パッキン７のリップ先端の集塵箱５が挿入されてくる上側を覆うように集塵箱５挿入時の案内部３８を設けることで、集塵箱５が少し傾いた状態で集塵箱収納部４に挿入された場合でも、集塵箱５と案内部３８が先当りし、集塵箱５は案内部にガイドされながら集塵箱収納部４に挿入されるため、吸気パッキン７のリップ部のめくれから発生する吸引力の低下を防止することが可能となる。
【産業上の利用可能性】
【００４１】
以上のように、本発明にかかる電気掃除機は、フィルターを用いて集塵箱に塵埃を収容するタイプの電気掃除機の信頼性と使い勝手を向上させることが出来るものであり、各種集塵箱の構成に適用できるものである。
【図面の簡単な説明】
【００４２】
【図１】本発明の実施の形態１における電気掃除機本体の上面図
【図２】図１のＡ−Ａ断面図
【図３】同電気掃除機の集塵箱の斜め下方から見た分解斜視図
【図４】図２のＢ−Ｂ断面図
【図５】図２のＣ−Ｃ断面図
【図６】同電気掃除機の集塵箱の斜め上方からみた分解斜視図
【図７】同電気掃除機の蓋ユニット体の分解斜視図
【図８】同電気掃除機の前方から見た集塵箱収納部の要部斜視図
【図９】同電気掃除機の後方から見た集塵箱収納部の要部斜視図
【符号の説明】
【００４３】
１    電気掃除機本体
４    集塵箱収納部
５    集塵箱
１０  主フィルター
１１  円筒状フィルター部
１２  打撃体
１５  １次フィルター
２２  接合部
【図１】
0005040470.tif 000002
【図２】
0005040470.tif 000003
【図３】
0005040470.tif 000004
【図４】
0005040470.tif 000005
【図５】
0005040470.tif 000006
【図６】
0005040470.tif 000007
【図７】
0005040470.tif 000008
【図８】
0005040470.tif 000009
【図９】
0005040470.tif 000010